(57)【要約】【課題】  限られた遊技盤面でのゲージ設定の自由度を確保するとともに、中央飾りの下部領域にも球流れを確保し得る遊技部品を提供する。【解決手段】  中央に前後開口する窓口１１を有して枠状に形成された装飾枠１００の、上枠部１１１に球入り口、下枠部１１４に遊技球を転動させおよび前方に落下させるステージ１４０、側枠部１１２に球入り口とステージ１４０との間を結ぶ案内通路１２０を形成する一方、遊技球が入球し得る大入賞口６１２を開閉可能な開閉入賞機構６０を側枠部１１２に設け、この開閉入賞機構６０と案内通路１２０とを側枠部１１２に前後方向に重ねて配設して遊技部品を構成する。【選択図】  図７
2006015079.tif 000002
【特許請求の範囲】
【請求項１】
中央に前後開口する窓口を有して枠状に形成された枠部材と、
前記枠部材の上枠部に設けられた球入り口と、
前記枠部材の下枠部に設けられ遊技球を前記窓口の下部内周面に沿って転動させおよび前方に落下させるステージと、
前記球入り口と前記ステージとの間を結んで前記枠部材の側枠部に設けられ前記球入り口に入球した遊技球を前記ステージに導く案内通路と、
前記側枠部に遊技球が入球し得る大入賞口を開閉可能に設けられた開閉入賞機構と
を備え、
前記開閉入賞機構と前記案内通路とを前記側枠部に前後方向に重ねて配設したことを特徴とする弾球遊技機用の遊技部品。
【発明の詳細な説明】
【技術分野】
【０００１】
本発明は、弾球遊技機に用いられる遊技部品に関し、なお詳細には、中央に前後開口する窓口を有して枠状に形成され、一般的には遊技盤の中央部に取り付けられる遊技部品に関する。
【背景技術】
【０００２】
弾球遊技機の代表例とされるパチンコ機では、従来から第１種パチンコ機に分類される弾球遊技機が広く親しまれている。この種の弾球遊技機では、遊技盤の中央奥部に液晶パネル等を利用した図柄表示装置が設けられ、表示画面の外周に中央飾りと称される枠状の遊技部品が取り付けられている。遊技盤面には中央飾りの下側に位置して始動入賞具と呼ばれる固定または可変の入賞口（始動入賞口）を有した入賞具が設けられるとともに、その下側にアタッカー装置と呼ばれる大型の入賞口（大入賞口）およびこの大入賞口を開閉する開閉扉を有した開閉入賞機構が設けられている。そして第１種パチンコ機では、始動入賞具に遊技球が入賞したことにより、図柄表示装置に表示される図柄が所定時間変動表示された後停止され、この停止図柄の組み合わせが特定の図柄の組み合わせに該当する場合に大入賞口が開放されて遊技者に有利な特別遊技状態が生起されるように構成されている。（例えば、特許文献１、特許文献２）。
【特許文献１】特開平８−１８２８３１号公報
【特許文献２】特開２００１−３４０５７５号公報
【発明の開示】
【発明が解決しようとする課題】
【０００３】
このようなパチンコ機にあって、近年では表示画面の多様化や視覚的効果の向上を目指して図柄表示装置の大画面化が進展しており、この結果、遊技領域が圧迫されて遊技球の転動領域が減少し、図柄表示装置の下方に配置される始動入賞具やアタッカー装置の配置に苦慮する問題が生じている。特に、始動入賞具として可変入賞具を用いたり、いわゆる振り分けタイプの入賞具を配置しようとした場合には、これらの入賞具の上下方向寸法が比較的大きいことから、この問題が深刻であり、図柄表示装置の大型化と引き替えに使用可能な入賞具が制限されるという問題があった。
【０００４】
また、図柄表示装置の大画面化とともに拡大する中央飾りの大型化によって、中央飾りの下側領域に打球を誘導する誘導部材や釘配置に困難性が生じ、狭小化した中央飾りの下側領域に苦心して始動入賞具とアタッカー装置を配置しても、遊技球がこれらの入賞具の側方を落下して十分な球流れが得られず、殆ど始動入賞具に入賞しない、またはせっかく大入賞口が開放されても所定期間内にわずか数球しか入賞しない、あるいは所定期間内にラウンド更新条件が満たされずに特別遊技が終了してしまう、など遊技者にとって不利益な状況が頻発する虞があるという問題があった。
【０００５】
本発明は上記のような問題に鑑みてなされたものであり、図柄表示装置の大型化に拘わらず、限られた遊技盤面のスペース内で入賞具の選定や配設位置等のゲージ設定の自由度を確保するとともに、中央飾りの下部領域に配設される入賞具等にも球流れを確保し得る遊技部品を提供することを目的とする。
【課題を解決するための手段】
【０００６】
上記目的達成のため、本発明では、中央に前後開口する窓口を有して枠状に形成された枠部材（例えば、実施形態における装飾枠１００）と、この枠部材の上枠部に設けられた球入り口（例えば、実施形態におけるワープ入球口１４）と、枠部材の下枠部に設けられ遊技球を窓口の下部内周面に沿って転動させおよび前方に落下させるステージと、球入り口とステージとの間を結んで枠部材の側枠部に設けられ球入り口に入球した遊技球をステージに導く案内通路と、枠部材の側枠部に遊技球が入球し得る大入賞口を開閉可能に設けられた開閉入賞機構とを備え、開閉入賞機構と案内通路とを枠部材の側枠部に前後方向に重ねて配設して弾球遊技機用の遊技部品を構成する。
【発明の効果】
【０００７】
本発明に係る遊技部品では、大入賞口を開閉可能な開閉入賞機構（背景技術におけるアタッカー装置に相当する入賞装置）が、中央に前後開口する窓口が形成されて画像表示装置の表示画面等を臨ませる枠部材の側枠部に設けられている。このため、図柄表示装置の大型化による中央飾り下側領域の上下方向寸法の圧迫を軽減することができ、これにより中央飾りの下側領域に配設する遊技部品、例えば始動入賞具や振り分け機構等の選択や配置の自由度が向上し、図柄表示装置の大型化と遊技部品の択一的選択を迫られるようなことがない。
【０００８】
また枠部材の上枠部に球入り口が設けられ、ここに入球した遊技球が側枠部に形成された案内通路を通って下枠部のステージに案内され、このステージを左右転動して窓口から前方すなわち枠部材の下側領域に落下する。このため、図柄表示装置および中央飾りが大型化しても、窓口から中央飾りの下側領域に遊技球を落下させて流下させることができ、また球入り口が枠部材の上枠部に設けられているため、遊技者が発射ハンドルを調整して球入り口に入球するように狙って遊技球を打ち出すことで、遊技者が自らの意思に応じて中央飾りの下側領域に流下させる遊技球の比率を高め、例えば当該領域に配置した始動入賞具の周辺に球流れを確保することが可能となる。一方、開閉入賞機構を側枠部に設けることで始動入賞具の配設位置のみならず始動入賞口周辺の釘配置の自由度も向上するため、球流れを確保しつつ始動入賞具への入賞率を調整することも容易化できる。
【０００９】
また、枠部材の左右の側方領域は、遊技盤に打ち出された遊技球が転動落下する領域にあっても左右方向の幅が比較的狭く、多数の遊技球が左右何れかの側方領域を通って転動落下する。このため、大入賞口を有する開閉入賞機構を少なくとも左右何れか一方の側枠部に設けることで、大入賞口が開放されたときに確実に入賞させることができ、さらに遊技者が発射ハンドルを調整することで左右何れの側方領域を落下するようにも打ち出すことができるため、例えば特別遊技が開始され大入賞口が開放されたときに、遊技者が発射ハンドルを調整することで高確率で入賞させることが可能となる。
【００１０】
さらに、本構成の遊技部品では、上記開閉入賞機構と案内通路とを枠部材の側枠部に前後方向に重ねて配設している。このため画像表示装置の大型化に伴って左右方向の幅が狭くなり、さらに側枠部に開閉入賞機構および案内通路を配設することにより狭小化しがちな枠部材側方領域の幅の減少を抑制することができる。
【００１１】
従って、本発明によれば、図柄表示装置の大型化に拘わらず、限られた遊技盤面のスペース内で入賞具の選定や配設位置等のゲージ設定の自由度を確保するとともに、中央飾りの下部領域に配設される入賞具や開閉入賞機構に十分な球流れを確保し得る遊技部品を提供することができる。
【発明を実施するための最良の形態】
【００１２】
以下、本発明を実施するための形態について添付図面を参照しながら説明する。本発明を適用した構成例として、パチンコ機の遊技盤に各種遊技部品を装着して複合入賞装置を構成した状態の遊技盤の正面図を図１に示し、この遊技盤の背面図を図２に示しており、まずこれらの図面を参照して、遊技盤全体の構成について要約説明する。なお遊技盤が装着されるパチンコ機本体の構成は、公知のパチンコ機と同様であり当業者であればその構成および適用を容易に理解できるため説明を省略する。
【００１３】
遊技盤１は、所定板厚の積層合板の表面にセルを貼り付けてルーター加工した化粧板２を基板とし、前面側には上下のレール飾りに囲まれて略円形の遊技領域ＰＡが区画形成される。遊技領域ＰＡの中央部には中央飾り１０が取り付けられ、この中央飾り１０を囲む遊技領域ＰＡの各部に、多数本の遊技釘、風車、下部一般入賞口３，３、ゲート５、LEDを用いた遊技効果ランプ６などの遊技構成部品が取り付けられるとともに、中央飾り１０の下側に複合入賞装置２０、中央飾り１０の左枠部に開閉入賞機構６０が設けられている。
【００１４】
下部一般入賞口３は、遊技球が入球可能な入賞口を有する落入形態の固定入賞具であり、入賞口に落入した遊技球が内部に設けられた入賞検出器により検出されたのち化粧板２の裏面側に排出されるようになっている。ゲート５は遊技球が通過可能な門型の固定入賞具であり、このゲート５を上下に通過した遊技球が内蔵されたゲート通過検出器５ｓにより検出されるようになっている。入賞検出器およびゲート通過検出器の信号は、パチンコ遊技の作動を制御する遊技制御装置（７００、図１６を参照）に入力されている。
【００１５】
本発明に係る遊技部品としての中央飾り１０は、中央に前後開口する窓口１１を有して枠状に形成され、化粧板２の後面側に取り付けられた図柄表示装置１２の表示パネルが窓口１１を通して遊技者に視認可能に配設されるようになっている。中央飾り１０における上枠部の中央には上部一般入賞口１３，１３および球入り口としてのワープ入球口１４が設けられている。上部一般入賞口１３は、下部一般入賞口３と同様に落入形態の固定入賞具であり、入賞口に入賞検出器が設けられるとともに、右枠部には上部一般入賞口１３に落入した遊技球を図柄表示装置１２の右側方を通して化粧板２の裏面側に排出する入賞球排出通路が形成されている。なおワープ入球口１４を含む中央飾り１０の詳細構成については後に詳述する。
【００１６】
遊技領域ＰＡの下端部には、上部一般入賞口１３，１３、下部一般入賞口３，３、複合入賞装置２０、開閉入賞機構６０の何れにも入賞することなく遊技領域ＰＡの下端まで落下した遊技球を、遊技盤１の裏面側に排出するアウト口８が化粧板２を前後に貫通して開口形成され、化粧板２の裏面には、上記各入賞装置等に落入した遊技球を化粧板２の背面に沿って下方に導く球寄せカバー１９が取り付けられている。遊技盤１の後方に配設される裏セット盤には、アウト口８から排出された遊技球および球寄せカバー１９により導かれた遊技球（これらを合わせて「遊技済み球」という）を集合させてパチンコ機の下部に導く遊技済み球排出経路が形成されており、遊技盤１から排出された遊技済み球が遊技済み球排出経路を通って遊技島の回収装置に排出されるようになっている。
【００１７】
そして、遊技盤１がパチンコ機に組付けられ遊技に供された遊技状態において、遊技球発射装置から遊技領域ＰＡに打ち出された遊技球が一般入賞口３，１３やゲート５、複合入賞装置２０、開閉入賞機構６０などの入賞機器に入賞すると、各入賞機器に設けられた入賞検出器、ゲート通過検出器等により入賞が検出され、これらの検出信号を受けた遊技制御装置が当該入賞機器の種別等に基づく入賞条件に応じた指令信号を出力してパチンコ機の各部の作動を制御する。例えば入賞検出器からの入賞検出信号に基づいて球払出装置の作動を制御して褒賞としての遊技球（賞球）の払い出しを行わせ、ゲート通過検出器からのゲート通過検出信号に基づいて複合入賞装置２０の入賞具の開閉作動を制御し、また各検出信号に基づいて効果ランプの点滅や効果音の発生等を行わせる。
【００１８】
さて、このように概要構成される遊技盤１にあって、中央飾り１０にワープ入球口、ワープ案内通路、ステージ等が形成され、左枠部に開閉入賞機構６０が設けられている。以下図３から図９の各図を参照しつつ中央飾りおよび開閉入賞機構の構成について説明する。ここで、図３は中央飾り１０および複合入賞装置２０の構成を説明するために分解状態で左斜め前方から見た斜視図、図４は中央飾り１０および複合入賞装置２０の構成を説明するために分解状態で左斜め後方から見た斜視図、図５および図６は中央飾り１０から開閉入賞機構ユニットを取り外した状態で開閉入賞機構ユニット６００を主として示す正面図および背面図、図７は開閉入賞機構の動作変位を示す正面図（部分断面図）、図８は図７中のVIII−VIII矢視の平断面図、図９は左枠部およびステージの球流れ状態を主として示す側断面図である。
【００１９】
中央飾り１０は、前後を仕切る装飾面の前面側に種々の意匠が施され後面側に遊技球を案内する球通路が形成されたベース枠１０１、ベース枠の後方にネジ固定されて側方の球通路を形成する中間枠１０２、および中間枠の後方にネジ固定されてステージの後方壁を形成する後方枠１０３、の前後３層からなる装飾枠１００を主体として構成される。
【００２０】
装飾枠１００の中央部には、図柄表示装置１２の表示パネルの大きさに合わせた開口サイズの窓口１１が各層の枠体に位置整合して形成され、この窓口を囲む上側に上枠部１１１、左側に左枠部１１２、右側に右枠部１１３、下側に下枠部１１４が形成されて、前後に奥行きのある額縁状に構成される。上枠部１１１および右枠部１１３には、ベース枠の装飾面から前方に突出してリブ状の庇部１１５が形成され遊技領域に発射された打球が直接窓口１１に飛び込むことなく庇部の傾斜に従って左右側方に流下するようになっている。上枠部１１１の上部中央には所定意匠を施した中央障壁部１１６が設けられ、この中央障壁部１１６の背後右側に上部一般入賞口１３，１３、左側にワープ入球口１４が上向きに開口形成されている。
【００２１】
上部一般入賞口１３，１３は、上述したように下部一般入賞口３と同様の固定入賞具であり、ベース枠１０１の装飾面の後方には、入賞口に落入した遊技球を上枠部１１１〜右枠部１１３を通して装飾枠１００の下方に導く入賞球排出通路１３０が形成されている。入賞球排出通路１３０は、上枠部１１１に形成された上部排出通路１３１と右枠部１１３に形成された側部排出通路１３２とからなり、側部排出通路１３２には遊技球を後方および右側方に折り返して遊技球の落下速度を緩和する屈曲部１３３が形成されている。入賞球排出通路１３０は下端の開口部で球寄せカバー１９側の排出通路１９ｂと繋がり、裏セット盤の遊技済み球排出経路を介して遊技島の回収装置に排出される。上部一般入賞口１３には、入賞口に落入した遊技球を検出する入賞検出器１３ｓがそれぞれ設けられ、各信号が遊技制御装置に入力されている。
【００２２】
ワープ入球口１４は、遊技球を下枠部１１４に形成されたステージに導くための導入口であり、ベース枠１０１の後面側には、ワープ入球口１４に落入した遊技球を上枠部１１１〜左枠部１１２を通してステージ１４０に導くワープ案内通路１２０が形成されている。ワープ案内通路１２０は、上枠部１１１に形成された上部案内通路１２１と左枠部１１２に形成された側部案内通路１２２とからなり、ベース枠１０１に形成された上部案内通路１２１の終端に後方に開口する連通開口が設けられて中間枠１０２に形成された側部案内通路１２２に繋がっている。側方案内通路１２２は窓口１１に沿って下方に延び、この通路下端の窓口１１内周面に開口形成されたワープ出口１２４で下枠部１１４のステージ１４０（上段ステージ１４２）に繋がっている。
【００２３】
ステージ１４０は、窓口の手前側に形成された下段ステージ１４１と、窓口１１の奥側に形成された上段ステージ１４２とからなり、下段ステージ１４１はベース枠１０１に、上段ステージ１４２は中間枠１０２に形成されている。
【００２４】
下段ステージ１４１は、前後方向に遊技球１．２〜１．５球程度の通路幅を有し、正面視において中央が低く左右枠部に向けて高くなるＶ字状に形成されている。下段ステージ１４１の中央部には、遊技球２球程度の左右方向幅で前方に下傾し遊技球を前方に誘導する誘導部１４１ｇが形成される一方、誘導部１４１ｇを除く左右ステージ面の前方には、上段ステージ１４２から下段ステージ１４１に落下した遊技球がそのまま前方に転落しないように規制する転落防止壁１４１ｗが設けられている（図４を参照）。
【００２５】
上段ステージ１４２は、前後方向に遊技球２〜３球程度の通路幅を有し、正面視において中央左右に２箇所の緩やかな凹部を有し左右枠部に向けて高くなるＷ字状に形成されている。上述したワープ出口１２４は、上段ステージ１４２の左端の高さ位置に合わせて左枠部の窓口内周面に開口形成され（図７および図９を参照）、ワープ案内通路１２０を転動落下した遊技球がワープ出口１２４から上段ステージ１４２の左上端部に導かれ、まず上段ステージ１４２を左右に転動するようになっている。
【００２６】
上段ステージ１４２に形成された左右２箇所の凹部は、窓口奥部が浅く前端側に向けて深くかつ広くなる円錐溝状で前方に下傾して形成されており、この領域に収斂した遊技球が前方に誘導されて下段ステージ１４１に落下するようになっている。これらの左右の凹部に挟まれた上段ステージ１４２の中央部には、凹部と滑らかに繋がって円弧状に盛り上がる丘陵部が形成され、この丘陵部を中心として上段ステージ１４２と下段ステージ１４１の高さの差が遊技球の直径よりも大きい高段差領域１４３が形成される。
【００２７】
そして高段差領域１４３の中央部では、上段ステージ１４２における丘陵部の頂部に、前方に向けて緩やかにＶ字状に開く係合誘導溝および係合誘導溝と繋がって大きくＵ字状に開く付勢誘導溝からなる誘導溝１４２ｇが形成されるとともに、この誘導溝１４２ｇの前方の立設壁に下段ステージの誘導部１４１ｇの上方を跨いで前方に突出する舌片状のガイド突片１４５が取り付けられており、このガイド突片１４５の上面に遊技球の球径に合わせた凹状円筒面の特別流下通路１４５ｇが形成されている。
【００２８】
すなわち、高段差領域１４３の中央部では、特別流下通路１４５ｇと誘導部１４１ｇとが遊技球の直径よりも大きな高低差をもって上下に立体交差し、上方の特別流下通路１４５ｇを遊技球が前後方向に転動し、その下方の誘導部１４１ｇを遊技球が係合突片１４５に衝突することなく転動し得るようになっている。またこれらの左右方向の関係では、下段ステージの誘導部１４１ｇの左右方向幅が遊技球２球程度の幅を有して比較的広く形成される一方、その上方の特別流下通路１４５ｇは、誘導部１４１ｇの左右方向の中心に位置し遊技球の球径に合わせた凹状円筒面で狭く形成されている。
【００２９】
このため、ワープ出口１２４から上段ステージ１４２に導入された遊技球は、まず上段ステージ１４２を左右に転動し、多くの遊技球は前傾する左右何れかの凹部から下段ステージ１４１に落下して下段ステージ１４１を左右に転動し、中央の誘導部１４１ｇから装飾枠１００の下方、すなわち中央飾り１０の下部領域に落下する。また一部の遊技球は上段ステージを左右転動するうちに上段ステージの誘導溝１４２ｇに係合して前方に誘導され、付勢誘導溝に落ち込むことで前方に付勢されて特別流下通路１４５ｇを転動し、この通路の前端部から中央飾り１０の下方に落下する。ガイド突片１４５の突出量は、下段ステージ１４１の前後方向の通路幅と略同一寸法に形成されており（図９を参照）、特別流下通路１４５ｇを転動した遊技球が下段ステージ１４１に当接することなく化粧板２に沿って落下する（より具体的には後述する複合入賞装置２０の入賞口２１２に向けて落下する）。
【００３０】
このように、本構成の装飾枠１００ではワープ入球口１４が装飾枠の上枠部１１１に設けられ、ワープ入球口１４に入球した遊技球がステージ１４０に導かれる構成のため、遊技者が発射ハンドルを調整してワープ入球口１４に入球するように遊技球を打ち出すことで、遊技者が自らの意思に応じて中央飾りの下側領域に流下させる遊技球の比率を高め、入賞具２１０やゲート５の周辺に球流れを確保することが可能になっている。
【００３１】
なお、装飾枠１００を構成するベース枠１０１、中間枠１０２、後方枠１０３のうち、少なくとも中間枠１０２は透視可能な樹脂材料（有色透明や半透明の樹脂材料など、光を透過する特性を有する材料）を用いて成形されており、上段ステージ１４２の下側に配設される複合入賞装置の回転入賞機構５００が下段ステージ１４２を通してパチンコ機の前面側から視認できる構成になっている。また後方枠１０３には上段ステージ１４２を転動する遊技球が図柄表示装置１２の表示パネルに当接しないように、上段ステージの転動面よりも高い当接規制壁が形成されている。
【００３２】
装飾枠１００における左枠部の上部に、開閉入賞機構６０が設けられている。開閉入賞機構６０はユニット化されており、図５および図６に示すように装飾枠１００と別体に形成された開閉入賞機構ユニット６００が、左枠部に形成されたユニット装着部１６０に一体的に装着され、開閉入賞機構６０を形成するように構成されている。
【００３３】
開閉入賞機構ユニット６００は、遊技球が入球し得る大入賞口を有しユニットの基体となるユニットベース６１０、ユニットベースに大入賞口を開閉可能に取り付けられた開閉扉６２０、開閉扉を開閉駆動する開閉駆動構造６３０、大入賞口に落入した遊技球を検出する大入賞口入賞検出器６５０、およびユニットベースの前面を覆う化粧蓋６６０などから構成される。
【００３４】
ユニットベース６１０は、各構成部材の支持基盤となるベース面６１１と、ベース面の前面側にその周囲を取り囲むように立設された囲壁とを有し、全体として装飾枠１００の左肩部の形状に合わせた前面開放の箱状に形成されている。
【００３５】
ベース面６１１の前面側は、遊技球の処理領域とされ、正面左側の囲壁の上部が切り欠かれて縦長方形の大入賞口６１２が形成されるとともに、囲壁の内側には大入賞口に入球した遊技球を流下させる導出通路６１３が形成され、その下端部にベース面６１１を前後に貫通して遊技球を後方に排出する導出口６１４が形成されている。大入賞口６１２および導出通路６１３の前後方向の幅は、遊技球の直径よりも幾分大きい程度の寸法に設定されており、ベース面６１１の前面側に薄型コンパクトな球処理領域が形成される。導出通路６１３の途中には大入賞口６１２に入球して導出通路６１３を流下する遊技球を検出する大入賞口入賞検出器６５０が装着され、この検出器の信号が遊技制御装置に入力されている。
【００３６】
一方、ベース面６１１の後面側は、開閉扉６２０を開閉する開閉駆動構造６３０の配設領域とされる。大入賞口６１２の下端近傍には開閉扉６２０の揺動軸６２５を回動可能に枢支する軸受部６１５が形成され、この軸受部６１５を軸心とする同心円上に、揺動軸６２５に連結されたリンクアーム６３５先端のリンクピン６３６をガイドする円弧状のガイド溝６１６が形成されている。またベース面６１１の上部には開閉扉６２０を開閉駆動する大入賞口開閉駆動ソレノイド６３１をネジ固定するソレノイド装着部が形成されている。
【００３７】
開閉扉６２０は、大入賞口６１２の開口寸法に合わせた縦長方形に形成され、基端側には揺動軸６２５が圧入固定される円筒状の軸装着部６２４が前後に延びて形成されている。開閉扉６２０の扉面は先端側で屈曲されて「く」の字状に形成されるとともに、この屈曲部から軸装着部６２４にかけて補強兼用のリブ６２７が形成される一方、ユニットベース６１１には開閉扉６２０の開放角度位置でリブ６２７の端面を係合支持する支持部６１７が形成されており（図７を参照）、上方から多数の遊技球が落下してきても、これらの遊技球を確実に受け止めて大入賞口６１２の内方に誘導し得るようになっている。
【００３８】
揺動軸６２５の外周面には、開閉扉６２０の軸装着部およびリンクアーム６３５の軸固定ボスと係合する位置に綾目ローレットが形成されており、開閉扉の軸装着部６２４に揺動軸６２５を圧入固定することで開閉扉６２０に一体に組付けられる。開閉扉６２０は、揺動軸６２５をユニットベースの軸受部６１５に嵌挿して挿通させ、ベース面６１１の後面側に突出した揺動軸６２５の後端部にリンクアーム６３５の軸固定ボスを圧入固定することで揺動軸６２５を介してリンクアーム６３５と連結され、ベース面６１１を挟む前後で揺動軸６２５の軸回りに一体的に揺動可能に支持される。
【００３９】
開閉駆動構造６３０は、駆動源となる大入賞口開閉駆動ソレノイド６３１、大入賞口開閉駆動ソレノイドのプランジャの先端に固定された駆動伝達具６３４、一端が揺動軸６２５に固定され他端が駆動伝達具６３４にリンクピン６３６を介して連結されるリンクアーム６３５などからなり、大入賞口開閉駆動ソレノイド６３１の駆動力を揺動軸６２５に伝達して開閉扉６２０を開閉するように構成される。
【００４０】
大入賞口開閉駆動ソレノイド６３１は、プランジャの外周部にリターンスプリング（コイルスプリング）が装着されたスプリングリターンタイプの直動型ソレノイドであり、駆動信号がONされた時にプランジャが引き込まれて縮長し、駆動信号をOFFしたときにリターンスプリングのバネ力でプランジャが押し出されて元の伸長状態に復帰する。プランジャの先端部には駆動伝達具６３４の板厚に合わせたスリ割りと、駆動伝達具６３４を固定するためのネジ孔とが形成されている。
【００４１】
駆動伝達具６３４は薄板プレート状をなし、大入賞口開閉駆動ソレノイド６３１のプランジャに固定される基端側にねじを挿通させる円孔が形成され、先端側にはリンクピン６３６と係合するピン係合孔が形成されている。ピン係合孔はリンクピン６３６のピン径に合わせた幅で、リンクピンの揺動軌跡に応じた長さを有する長孔状に形成されている。駆動伝達具６３４は、プランジャ先端部のスリ割りに嵌挿して位置合わせし後方からネジを挿通して締め込むことでプランジャの先端部にネジ固定される。
【００４２】
リンクアーム６３５は、一端に揺動軸６２５が圧入される軸固定ボス、他端にリンクピン６３６が圧入されるピン固定ボスが形成されて短いアーム状に形成されており、上述したように揺動軸６２５の後端部に圧入固定されてベース面６１１の後面側に揺動可能に支持される。
【００４３】
そこで、駆動伝達具６３４が組付けられた大入賞口開閉駆動ソレノイド６３１をユニットベース６１０のソレノイド装着部にネジ固定し、開閉扉６２０を揺動させてリンクアーム６３５のピン固定ボスと駆動伝達具６３４のピン係合孔とを位置合わせし、駆動伝達具６３４の後方からピン係合孔を通してリンクアーム６３５のピン固定ボスにリンクピン６３６を圧入する。このとき、リンクピン６３６の先端がベース面６１１に形成されたガイド溝６１６内に嵌入して揺動変位可能に支持される。
【００４４】
こうして駆動伝達具６３４とリンクアーム６３５とがリンクピン６３６により連結されると、大入賞口開閉駆動ソレノイド６３１のON／OFFによる駆動伝達具６３４の上下方向変位が、リンクピン６３６を介してリンクアーム６３５の揺動角度変位に変換されて伝達され、揺動軸６２５により連結された開閉扉６２０が反時計廻り／時計廻りに揺動可能な駆動機構が形成される。そしてこれによりユニットベース６１０の前面側に開閉扉６２０、後面側に開閉駆動構造６３０が配設され、大入賞口開閉駆動ソレノイド６３１をON／OFF制御することで開閉扉６２０を揺動させ大入賞口６１２を開閉可能な開閉入賞機構ユニット６００が形成される。
【００４５】
一方、装飾枠１００の左枠部１１２に、開閉入賞機構ユニット６００を装着するユニット装着部１６０が設けられている。ユニット装着部１６０は、ユニットベース６１０の後面周縁を支持するベース支持部１６０ａと、ユニットベース６１０の後面側に設けられた開閉駆動構造６３０を収容する駆動構造収容部１６０ｂとからなり、ベース支持部１６０ａはベース枠１０１の装飾面を利用して形成され、駆動構造収容部１６０ｂは装飾面を貫通して装飾面の後方に形成されている。
【００４６】
ベース支持部１６０ａには、ユニットベース６１０に形成されたネジ挿通孔６１８と位置整合してネジを受容する円筒状のネジボス１６８が装飾面の裏面側に複数形成され、開閉入賞機構ユニット６００を装飾面の前面側から固定可能になっている。
【００４７】
駆動構造収容部１６０ｂは、ベース枠１０１の装飾面の後面側に開閉駆動構造６３０の周囲を取り囲むように立設された収容壁１６２と、この収容壁１６２に囲まれた開口の後方を覆ってネジ固定される後方壁１６３とによって形成され、後方壁１６３にはユニットベースのベース面６１１に開口形成された導出口６１４と位置整合して、導出口６１４から排出された遊技球を球寄せカバー１９側の排出流路１９ａに導く連絡流路１６４が形成されている。また後方壁１６２には、開閉入賞機構ユニット６００の大入賞口開閉駆動ソレノイド６３１および大入賞口入賞検出器６５０の信号線を前後に挿通させる切り欠き部が形成されている。
【００４８】
そこで、上記信号線を切り欠き部を通して挿通させるとともに、ユニットアッセンブリされた開閉入賞機構ユニット６００を装飾枠１００の左肩部に位置合わせして装着すると、開閉駆動構造６３０が駆動構造収容部１６０ｂに収容され、ユニットベース６１０の後面周縁がベース支持部１６０ａに支持されて前後に位置決めされる。そしてユニットベース６１０の前面側からネジ挿通孔６１８を通してネジボス１６８に固定ネジを螺合締結し、ユニットベース６１０の前面に化粧蓋６６０を嵌着することで、開閉入賞機構ユニット６００がユニット装着部１６０に一体的に装着される。化粧蓋６６０の後面側には揺動軸６２５の先端部を枢支する軸受部６６５が形成されており、開閉扉６２０が前後の軸受部６６５，６１５に支持されて安定的に開閉可能に配設される。そして大入賞口開閉駆動ソレノイド６３１および大入賞口入賞検出器６５０の信号線を遊技制御装置に接続することで開閉入賞機構６０が形成され、その作動が遊技制御装置により制御される。
【００４９】
このように、開閉入賞機構６０では、開閉入賞機構ユニット６００の開閉駆動構造６３０が駆動構造収容部１６０ｂに収容されて装飾面の後方に配設され、装飾面の前方には遊技球の球径よりも幾分大きい程度の薄型に構成された遊技球の処理領域が配設される。このため、大型の入賞口を開閉する開閉入賞機構でありながら化粧板の前面側への突出量を最小限に抑制したコンパクトな構成になっている。また、ユニット装着部１６０と前述したワープ案内通路１２０とは、各図に明示するように、前後方向に重なるように形成されており、左枠部１１２の枠幅寸法を開閉入賞機構ユニット６００のユニット幅と略同一寸法まで抑制して中央飾り側方の転動領域を確保可能な構成になっている。さらに、開閉入賞機構ユニット６００が一体的に着脱可能に構成されているため、開閉駆動構造６３０の構成部品が損耗等した場合であっても容易に着脱交換することができる。
【００５０】
さて、以上説明してきた中央飾り１０の下側に、複合入賞装置２０が設けられている。以下、図１０〜図１６の各図を参照しながら、複合入賞装置２０の構成について説明する。複合入賞装置２０は、化粧板２の前方から取り付けられる前方機構部と、化粧板２の後方から取り付けられる後方機構部とからなり、図１０は貯留通路が充満される以前の様子を主として示す前方機構部の正面図、図１１は貯留通路が充満されて以降の様子を主として示す前方機構部の正面図、図１２は前方機構部の背面図、図１３は前方機構部の平面図、図１４は後方機構部の平面図、図１５は化粧板２の背面側の球流れを主として示す後方機構部の正面図（図１４中のXV−XV矢視の正面図）、図１６は複合入賞装置２０の制御形態を概要的に示すブロック図である。
【００５１】
複合入賞装置（役物(遊技部品)）２０は、その複合機能を機構的に大別すると、Ａ：遊技球を貯留する貯留通路および装置外部に排出させる排出通路を有し入賞口に落入した遊技球の流下経路を切り替えて流下させる球貯留機構２００、Ｂ：遊技球を受容可能な球受け部を正逆両方向に回動可能な第１回転体を備え貯留通路を介して導かれた遊技球を第１回転体の回動により第１導出口または第２導出口に移動させて排出させる振り分け機構３００、Ｃ：第１導出口に排出された遊技球を入賞口よりも上方に搬送する揚送機構４００、Ｄ：遊技球が転入可能な入賞領域を複数有し通過した入賞領域に応じた遊技を実行する回転入賞機構５００、およびこれら各機構の作動を制御する遊技制御装置７００などからなり、このうちＡ〜Ｃの各機構がハウジング５１に組み込まれて一体の前方機構部を形成し、Ｄ：回転入賞機構がリアフレーム５５に組付けられて後方機構部を形成し、前後の機構部が遊技制御装置７００の各制御手段により制御されて複合入賞装置２０が形成される。
【００５２】
Ａ：貯留機構２００は、遊技盤面を転動落下する遊技球が落入可能な入賞口を有する入賞具２１０、入賞口に落入した遊技球を順次貯留し得る貯留通路２２０、入賞口に落入した遊技球を排出させる排出通路２３０、入賞口に落入した遊技球の流下経路を貯留通路または排出通路に切り替えて流下させる流路切り替え構造２４０、貯留通路が貯留された遊技球で充満されたことを検出する充満検出手段２５０、および遊技制御装置７００に内蔵された役物（遊技部品）制御手段７１０などからなり、役物制御手段７１０が、充満検出手段２５０において貯留通路の充満状態が検出されていないときに遊技球の流下経路を貯留通路側に設定して入賞口に落入した遊技球を貯留通路２２０に導き、充満検出手段２５０において貯留通路の充満状態が検出されているときには遊技球の流下経路を排出通路側に切り替えて入賞口に落入した遊技球を排出通路２３０に導くように構成される。
【００５３】
入賞具２１０は、いわゆる電動チューリップ型の可動入賞具であり、左右に揺動可能なチューリップ羽根２１１，２１１を有し、その後方にチューリップ羽根２１１，２１１を開閉させて入賞口１１２を拡大・縮小変化させる入球部拡大装置駆動ソレノイド２１３が装着されるとともに、入賞口１１２の内部に遊技球の通過を検出する役物入球検出器２１４が設けられている。入賞具２１０は、上段ステージ４１２における特別流下通路１４５ｇと位置整合して直下に配設され、チューリップ羽根の上方には斜めに落下してくる遊技球の入球を規制する一方、特別流下通路１４５ｇから鉛直に落下してくる遊技球をガイドするガイド筒が設けられている。入球部拡大装置駆動ソレノイド２１３は役物制御手段７１０における入球部拡大装置駆動制御手段７１１によりON・OFFされて開閉作動が制御され、役物入球検出器２１４の信号は役物入球判定手段７１２に入力されて入賞判定が行われる。
【００５４】
入賞口１１２の下側では、入賞具２１０に落入した遊技球をハウジング５１の内部に導くとともに正面右側の貯留通路方向に案内する導入通路２１５が形成されている。一方、導入通路２１５の後方には、貯留機構２００のフレームとなるシャッターベース２０１が組付けられ、このシャッターベース２０１に貯留通路２２０、排出通路２３０が形成されている。
【００５５】
貯留通路２２０は、シャッターベース２０１の本体部から右斜め下方に突出して設けられている。貯留通路２２０の通路幅および高さは遊技球の球形よりも幾分大きめに設定され、通路長さはこの通路内に貯留すべき遊技球の数量（ゲーム構成に応じて設定された最大貯留球数）に合わせて形成される。貯留通路２２０の下流端部には後方に傾斜する通路面が形成されており、次述する振り分け機構３００の導入口３４０に繋がっている。これにより貯留通路に流入した遊技球を振り分け機構３００に向けて滑らかに流下させるとともに、所定数量の遊技球を流入した順に通路内に貯留し得るようになっている。
【００５６】
本実施形態では、基準位置にある第１回転体の球受け部３２２に受容された遊技球を含めて５個の遊技球を貯留可能に構成した例を示す。なお貯留通路２２０の前方の通路壁は、ハウジング５１の前面を覆って取り付けられるカバー部材５２によって形成される。カバー部材５２は透視可能な樹脂材料（有色透明や半透明の樹脂材料等）を用いて成形されており、貯留通路２２０を流下する遊技球および通路内に貯留された遊技球がパチンコ機の前面側から視認できる構成になっている。
【００５７】
排出通路２３０は、貯留通路２２０と隣接してシャッターベース２０１の本体部に形成されており、上下に延びる球通路の上端部において貯留通路２２０の上流部と合流している。排出通路２３０の下流側は後方に屈曲されたうえ化粧板２の裏面側で下向きに開口されており、アウト口８を通って化粧板の裏面側に導かれた遊技済み球とともに遊技済み球排出通路を介して遊技島の回収装置に排出されるようになっている。
【００５８】
流路切り替え構造２４０は、シャッターベース２０１にスライド変位可能に支持されて排出通路２３０の上端開口部を開閉するシャッター２４２、シャッター２４２を開閉駆動するシャッター駆動ソレノイド２４３、シャッター駆動ソレノイドのプランジャに嵌着されたスライドアングル２４４、一端がシャッターベース２０１にピン係合され他端がシャッター２４２にピン結合されるとともにアーム中間部でスライドアングル２４４に係合されたスウィングアーム２４５、およびシャッター駆動ソレノイド２４３の作動を制御するシャッター駆動制御手段７１４などから構成される。
【００５９】
シャッターベース２０１には、シャッター２４２を左右方向にスライド変位可能に支持するガイドレール２０２、シャッター駆動ソレノイド２４３を支持するソレノイド装着部２０３、ソレノイド装着部を上下に貫通して形成されたスライドアングル挿通孔、およびソレノイド装着部２０３の下面側に突出成型された支ピン２０５などが形成されている。
【００６０】
シャッター２４２は、下向き凸の断面形状を有してシャッターベースのガイドレール部２０２にスライド変位可能に支持され、下面にはスウィングアーム２４５のピン受容孔と嵌合する連結ピン２４２ｐが形成されている。シャッター駆動ソレノイド２４３は、プランジャの外周部にリターンスプリングが装着されたスプリングリターンタイプの直動型ソレノイドであり、駆動信号がONされた時にプランジャが引き込まれて縮長し、駆動信号をOFFしたときにリターンスプリングのバネ力でプランジャが押し出されて元の伸長状態に復帰する。
【００６１】
スライドアングル２４４は、上下に延びる立設辺と左右に延びる底辺とを有して背面視Ｌ字状のアングル形態をなし、立設辺に形成された受容スリットでシャッター駆動ソレノイド２４３のプランジャ先端部に嵌着され、底辺がスライドアングル挿通孔を通してシャッター駆動ソレノイド２４３の下側で左右方向に変位可能に配設される。スライドアングル２４４の底辺にはスウィングアーム２４５のアーム中間部を左右から挟み込むように係合して駆動力を伝達する駆動伝達突起２４４ａ，２４４ｂが形成されている。
【００６２】
スウィングアーム２４５は、平板状のアーム部の両端に円筒状のボス部を有し、一端のボスにはシャッターベース２０１に形成された支ピン２０５に枢結される支ピン孔が形成され、他端のボス部にはシャッター２４２の下面に突出成型された連結ピン２４２ｐを受容して係合する連結ピン受容穴が形成されている。このうち連結ピン受容孔は、溝幅が連結ピン２４２ｐの外径よりもわずかに大きめで、溝の長さがアームの延びる方向に長い長孔状に形成されている。
【００６３】
このため支ピン孔を支ピン２０５に嵌挿してピン先端に固定カラーを圧入または接着等により固定することで、スウィングアーム２４５が支ピン２０５を中心として揺動可能に枢結され、連結ピン受容穴に連結ピン２４２ｐを係合させてガイドレール２０２にシャッター２４２を支持させることで、スウィングアーム２４５の揺動に応じてシャッター２４２が左右にスライド変位される。このときスウィングアームの中間部がスライドアングル下面の駆動伝達突起２４４ａ，２４４ｂの間を通り左右の突起と摺接するように取り付けることで、スライドアングル２４４の左右方向の変位がスウィングアーム２４５の揺動変位に変換され、スウィングアーム２４５を介してシャッター２４２が左右方向にスライド変位される。
【００６４】
シャッター２４２は、駆動信号がOFFの状態において、図１０に示すように排出通路２３０の上端部を覆う閉鎖位置に配設され、入賞口２１２から導入通路２１５を通って入球した遊技球は、閉鎖位置にあるシャッター２４２の上面を転動して貯留通路２２０に導かれる。一方シャッター駆動制御手段７１４から駆動信号が出力されシャッター駆動ソレノイド２４３がONされると、ケース内に引き込み作動されるプランジャとともにスライドアングル２４４が左動され、右側の駆動伝達突起２４４ｂに押圧されて揺動されるスウィングアーム２４５を介してシャッター２４２が左方にスライド変位されて、排出通路２３０の上端部が開口される。このため入賞口２１２から導入通路２１５を通って入球した遊技球は、開放された開口部から排出通路２３０に転落し、遊技済み球排出通路を介して遊技島の回収装置に排出される。
【００６５】
ここで、本構成の流路切り替え機構では、駆動伝達突起をスウィングアーム２４５の中間部（支点となる支ピン孔と作用点となる連結ピン受容孔との中間部）に係合させてアームを揺動させる構成にしている。このため、排出通路２３０を開閉するのに必要なシャッター２４２のスライド変位量に対して、このシャッターを駆動するシャッター駆動ソレノイド２４３の伸縮ストロークを約１／２倍に抑制することができ、比較的小型のソレノイドを用いた小型低廉な装置構成で流路切り替え機構２４０を構成することができる。
【００６６】
なおスウィングアーム２４５を左右から挟み込んで摺接する駆動伝達突起２４４ａ，２４４ｂに代えて、ピンと長孔との係合形態を用いて同様に構成することができるほか、シャッター２４２を水平面内あるいは鉛直面内で揺動させて排出通路２３０の上端開口部を開閉するように構成しても良く、また導入通路２１５に左右揺動可能な弁部材を配設してこの弁部材を揺動させて流下経路を切り替えるように構成しても良い。
【００６７】
充満検出手段２５０は、貯留通路２２０の上端部に設けられた貯留部満杯検出器２５１と、役物制御手段７１０に設けられた貯留部満杯判定手段７１３とを主体として構成される。貯留部満杯検出器２５１は、入賞検出器や役物入球検出器などと同様の通過型の検出器（貫通型近接スイッチ）であり、この検出器を貫通して形成された検出孔内を遊技球が通過したときにパルス状の遊技球検出信号を出力し、図１１に示すように検出孔内に遊技球が停留しているときに連続した遊技球検出信号を出力する。貯留部満杯判定手段７１３は貯留部満杯検出器２５１から入力される信号に基づいて貯留通路２２０が満杯状態であるか否かを判断する。具体的には入力された検出信号が所定時間以上連続した遊技球検出信号であるときに貯留通路２２０が満杯であると判定する。役物制御手段７１０は、貯留部満杯判定手段７１３により貯留通路が満杯状態であると判定されたときに、シャッター駆動制御手段７１４からシャッター駆動ソレノイド２４３に駆動信号を出力し、シャッター２４２を開放状態に切り替えさせる。
【００６８】
このため、貯留機構２００では、貯留通路２２０が遊技球で充満される以前においては、入賞口２１２に落入した遊技球が導入通路２１５、シャッター２４２の上面を通って貯留通路２２０に導かれ、この貯留通路２２０に導入された順に整列状態で貯留される。一方貯留通路２２０が満杯状態になり貯留部満杯判定手段７１３により貯留通路が満杯状態であると判定されると、役物制御手段７１０はシャッター駆動制御手段７１４からシャッター駆動ソレノイド２４３に駆動信号を出力させてシャッター２４２を開放状態に切り替えさせる。このため、入賞口２１２に落入し導入通路２１５を通って導かれた遊技球が、開放された開口部から排出通路２３０に転落し、遊技済み球排出通路を介して遊技島の回収装置に排出される。このように構成される貯留機構２００の下流側に、Ｂ：振り分け機構３００が設けられている。
【００６９】
Ｂ：振り分け機構３００は、貯留通路２２０の下流側に設けられた回転盤収容部３１０、外周側に遊技球を受容可能な球受け部３２２を有して回転盤収容部３１０に回動可能に設けられた第１回転体３２０、第１回転体３２０を時計廻りおよび反時計廻りに回動させる第１回転体駆動モータ３３０、貯留通路２２０の下流端部に位置整合して設けられ入賞口２１２から導かれた遊技球を基準位置にある第１回転体の球受け部に導く導入口３４０、導入口を挟んで回転盤収容部に設けられ第１回転体の回動により移動された遊技球を導出する第１導出口３５０ならびに第２導出口３６０、および第１回転体駆動モータの作動を制御する役物制御手段７１０などからなり、役物制御手段７１０が入賞条件（例えば後述する図柄制御手段７２０により決定された停止図柄の組み合わせ）に基づいて第１回転体３２０を時計廻りまたは反時計廻りに回動させ、基準位置で球受け部３２２に受容された遊技球を第１導出口３５０または第２導出口３６０に排出させるように構成される。
【００７０】
回転盤収容部３１０は、振り分け機構３００のベースとなりハウジング５１に固定された回転盤ベース３１１と、第１回転体３２０の前面および周縁を囲んで回転盤ベース３１１にねじ止めされた回転体ケース３１２により形成される。回転盤ベース３１１の仕切壁には、前後貫通して第１回転体３２０のボスを挿通させるボス挿通孔が形成され、その後方のモータ取付部に第１回転体駆動モータ３３０がネジ固定されている。なお第１回転体駆動モータ３３０の固定はネジ以外の固定手段、例えばモータフランジ部を回転盤ベース３１１に嵌着するなど他の固定手段を用いても良い。またボス挿通孔の右側方に仕切壁を貫通して第２導出口３６０が形成され、その後方に第２導出口３６０から導出された遊技球を遊技済み球排出通路に向けて排出する第２条件流路３６１が形成されるとともに、この第２条件流路を通て排出された遊技球を検出する第２条件流路通過検出器３６２が装着されている。第２条件流路通過検出器３６２は既述した貯留部満杯検出器２５１と同様の通過型の検出器であり、その信号が役物制御手段７１０における遊技球排出監視手段７１７に入力されて貯留球の処理状況が監視されている。
【００７１】
回転体ケース３１２は、第１回転体３２０の外径よりも幾分大きめの内径および厚さの収容凹部を有してキャップ状に形成され、その前面には第１回転体３２０の回転軸の鉛直下方に位置して導入口３４０、回転軸の左斜め上方（導入口３４０から時計廻りに約１５０度の角度位置）に第１導出口３５０が形成されている。第１導出口３５０の前方には第１導出口３５０から導出された遊技球を揚送機構４００に導く第１条件流路３５１が設けられている。
【００７２】
第１回転体３２０は、遊技球の球形よりも大きめの厚さを有して正面視円形の回転円盤形態をなし、その中心部には後方に突出して第１回転体駆動モータ３３０のスピンドルに連結されるボスが形成され、外周部には外径方向に開くＵ字溝状の球受け部３２２が第１回転体３２０の回転軸を中心として全周を２等分した１８０度の角度ピッチで２箇所形成されている。
【００７３】
各球受け部３２２，３２２は、正面視における全体的な投影形状が遊技球の球形よりも幾分大きめの幅および深さを有するＵ字溝状に形成される一方、Ｕ字溝を形成する左右の溝壁面はＵ字状底面の中央を境にして前後逆方向に開く傾斜面で形成される。すなわち、Ｕ字溝が上方に開く角度姿勢において左壁面が前方に開く傾斜面、右壁面が後方に開く傾斜面で構成されている。このため球受け部３２２に受容された遊技球は、球受け部３２２が中心よりも右半分の領域にあるときには右壁面の傾斜に従って後方に誘導され、球受け部３２２が中心よりも左半分の領域にあるときには左壁面の傾斜に従って前方に誘導されるようになっている。
【００７４】
第１回転体駆動モータ３３０は、所定減速比の減速機構を内蔵したギヤモータであり、第１回転体駆動制御手段７１５からの駆動信号に応じてスピンドルを時計廻りまたは反時計廻りに所定角度回動させる。スピンドルの先端部は外周面の一部が平坦に面取りされて断面視Ｄ字状に形成されており、このスピンドル先端部に同一の穴形状を有する第１回転体３２０のボスを嵌入して連結することで、モータ側の基準角度位置と第１回転体側の球受け部の角度位置とを合致させるとともに、第１回転体駆動モータ３３０回転トルクを第１回転体３２０に確実に伝達可能になっている。
【００７５】
第１回転体駆動モータ３３０が組付けられた回転盤ベース３１１の背面側には、第１回転体３２０が基準位置（球受け部３２２，３２２が回転軸の鉛直上下に位置して導入口３４０と整合する回転角度位置）にあるか否かを検出する第１回転体モータセンサ（基準位置検出器）３３５が設けられ、その信号が役物制御手段７１０に入力されている。第１回転体モータセンサ３３５の検出信号は電源投入時における第１回転体３２０の角度位置の初期設定や、第１回転体による振り分け作動後に第１回転体３２０を基準位置に復帰させるときの基準とされ、この制御により第１回転体３２０は、球受け部３２２が導入口３４０と位置整合した基準位置に確実に停止されるようになっている。
【００７６】
振り分け機構３００は、第１回転体駆動モータ３３０を回転盤ベース３１１のモータ取付部にネジ固定して、仕切壁の前方から第１回転体３２０のボスをスピンドルの前端部に嵌入し、その前方に回転体ケース３１２を装着して回転盤ベース３１１にネジ固定することで部分組立され、この部分組立体を後方からハウジング５１に組付けることで、前述した流路切り替え機構２００の貯留通路２２０、次述する揚送機構４００に繋がる第１条件流路３５１と位置整合して配設される。
【００７７】
役物制御手段７１０は、この制御手段内部の条件達成判定手段７１８によって判定された入賞条件に基づいて第１回転体駆動制御手段７１５から第１回転駆動モータ３３０に駆動信号を出力させ、第１回転体３２０を時計廻りまたは反時計廻りに回動させて、導入口３４０から球受け部３２２に導かれた遊技球を第１導出口３５０または第２導出口３６０に排出させるように制御する。なお条件達成判定手段７１８は、第１条件達成判定手段７１８ａと第２条件達成判定手段７１８ｂとを有し、後述する図柄制御手段７２０によって抽選され決定された停止図柄の組み合わせが、第１条件（例えば、図１の図柄表示装置１２の上段に付記したような(７７７)、いわゆるぞろ目の当たり条件）を達成しているか、あるいは第２条件（同様に、図柄表示装置１２の下段に付記したような(３７８)、はずれの条件）を達成しているかを判定する判定手段である。
【００７８】
そして例えば、条件達成判定手段７１８によって判定された入賞条件が第１条件（当たり）である場合には、第１回転体駆動制御手段７１５が第１回転駆動モータ３３０を時計廻りに約１５０度回動させる駆動信号を出力して第１回転体３２０を回動させ、遊技球を受容した球受け部３２２を第１導出口３５０に整合させた角度位置に一時停止させる。また条件達成判定手段７１８によって判定された入賞条件が第２条件（はずれ）である場合には、第１回転駆動モータ３３０を反時計廻りに約９０度回動させる駆動信号を出力して第１回転体３２０を回動させ、遊技球が受容された球受け部３２２を第２導出口３６０に整合させた角度位置に一時停止させる。
【００７９】
前述したように、球受け部３２２は、Ｕ字溝を形成する左右の溝壁面が底面中央を境に前後逆方向に開く傾斜面で形成されており、Ｕ字溝が上方に開く角度姿勢において左壁面が前方に開く傾斜面、右壁面が後方に開く傾斜面で構成されている。このため球受け部３２２に受容されて第１導出口３５０と整合する角度位置に配設された遊技球は、左壁面の傾斜に従って前方に誘導され、第１導出口３５０から第１条件流路３５１に排出されて揚送機構４００に導かれる。一方球受け部３２２に受容されて第２導出口３６０と整合する角度位置に配設された遊技球は、右壁面の傾斜に従って後方に誘導され、第２導出口３６０から第２条件流路３６１に排出され、第２条件流路通過検出器３６２により通過が検出されたうえ遊技済み排出通路を介して遊技島の回収装置に排出される。
【００８０】
役物制御手段７１０は、上記第１導出口３５０または第２導出口３６０への振り分け作動によって導出された遊技球の排出処理が確認されたのち、具体的には第２条件流路通過検出器３６２により遊技球が検出されこの検出器からの信号を監視する遊技球排出監視手段７１７により遊技球の排出が確認されたとき、あるいは後述する回転入賞機構５００において遊技球が検出され遊技球排出監視手段７１７により遊技球の排出が確認されたときに、第１回転体駆動制御手段７１５から第１回転駆動モータ３３０に駆動信号を出力させ、第１回転体３２０を再び時計廻りまたは反時計廻りに回動させて、第１回転体３２０を基準位置に復帰させる。
【００８１】
例えば、球受け部３２２が第１導出口３５０と整合した角度位置で第１回転体３２０を一時停止させた状態のときは、第１回転駆動モータ３３０を再び時計廻りに約３０度回動させる駆動信号を出力して第１回転体３２０を基準位置近傍まで回動させ、第１回転体モータセンサ３３５から入力される検出信号により第１回転体３２０が基準位置に到達したと判定されたときに第１回転駆動モータ３３０の回動を停止させる。同様に、球受け部３２２が第２導出口３６０と整合した角度位置で第１回転体３２０を一時停止させた状態のときは、第１回転駆動モータ３３０を再び反時計廻りに約９０度回動させる駆動信号を出力して第１回転体３２０を基準位置近傍まで回動させ、第１回転体モータセンサ３３５から入力される検出信号により第１回転体３２０が基準位置に到達したと判定されたときに第１回転駆動モータ３３０の回動を停止させる。
【００８２】
このため、条件達成判定手段７１８によって判定された入賞条件が第１条件である場合には、基準位置で球受け部３２２に受容された遊技球が第１導出口３５０から第１条件流路３５１に排出されて次段の揚送機構４００に導かれ、入賞条件が第２条件である場合には、基準位置で球受け部３２２に受容された遊技球が第２導出口３６０から第２条件流路３６１および遊技済み球排出通路を介して遊技島の回収装置に排出され、その後第１回転体３２０が基準位置まで回動して新たな遊技球を球受け部３２２に受容可能な状態で待機される。なお条件達成判定手段７１８による入賞条件の判定を含む複合入賞装置の総合的な作動制御については、回転入賞機構５００の構成についての説明の後に詳述する。
【００８３】
Ｃ：揚送機構４００は、振り分け機構３００の第１導出口３５０に排出され第１条件流路３５１を通って導かれた遊技球を入賞口２１２よりも上方に搬送するように構成される。
【００８４】
揚送機構４００は、回転軸の外周に螺旋状の球送りプレートを有する揚送スクリュー４１０、揚送スクリュー４１０を回転駆動する揚送装置駆動モータ４２０、揚送装置駆動モータ４２０の回転駆動力を揚送スクリュー４１０に伝達する駆動力伝達構造４３０、および揚送装置駆動モータの作動を制御する役物制御手段７１０などからなり、役物制御手段７１０が所定入賞条件のもとに揚送装置駆動モータ４３０を回転作動させて遊技球を入賞口２１２よりも上方に搬送する
【００８５】
揚送スクリュー４１０は、上下に延びる回転軸４１１と、この回転軸４１１から外周方向に突出し上下方向に螺旋状に延びる球送りプレート４１２とからなり、例えば所定線径の金属シャフトの外周に、薄板金属性の球送りプレートを遊技球の球形よりも幾分大きめのピッチて螺旋状に巻き付け、これを溶着等の固定手段により固定して一体に形成される。揚送スクリュー４１０の下部には、駆動力伝達構造４３０の従動ギヤが設けられており、例えば金属シャフトの下端部に樹脂製の従動ギヤを圧入固定することで一体的に結合される。
【００８６】
揚送スクリュー４１０が収容されるガイドカバー４０１は、平面視において後方に開く矩形樋状をなし、前後方向の樋の深さが遊技球の直径よりも幾分大きめに形成されている。樋内側の下部には、上下を仕切る仕切壁が形成されており、遊技球が揚送される揚送部と従動ギヤが収容されるギヤ収容部とが区画形成される。仕切壁には、回転軸４１１を上下に挿通させる後端開放の長孔状の支持溝が形成され、ガイドカバー４０１の上部には回転軸４１１の上端部を枢支する軸受穴が形成されている。
【００８７】
従動ギヤが結合された揚送スクリュー４１０は、ガイドカバー上部に形成された軸受孔に回転軸を挿入して軸上端部を枢支させるとともに、仕切壁に形成された支持溝に回転軸４１１を係合させて軸外周部を支持させることで、ガイドカバー４０１の内側に回転自在に取り付けられる。そして、これをハウジング５１の前方から装着して固定することでハウジング５１の前面側に取り付けられ、仕切壁直上の揚送部が第１条件流路２５１の下流側開口部と位置整合して配設される。
【００８８】
一方、揚送スクリュー４１０を回転駆動する揚送駆動モータ４２０は、所定減速比の減速機構を内蔵したギヤモータであり、スピンドルの先端部に駆動力伝達構造の駆動ギヤが圧入固定されている。また駆動伝達機構４３０は揚送駆動モータ４２０に固定された駆動ギヤと、揚送スクリュー４１０に固定された従動ギヤと、駆動ギヤおよび従動ギヤと相互に噛合して駆動ギヤの駆動力を従動ギヤに伝達する伝達ギヤとからなり、伝達ギヤが枢支されたモータベース４０２に揺動駆動モータ４２０をねじ止めすることで駆動ギヤと伝達ギヤとが噛合して回転駆動力を伝達可能な状態に配設される。そしてこのモータベース４０２をハウジング５１の後方から装着することで、伝達ギヤと従動ギヤとが噛合して配設され、詳細図示省略する固定手段によりモータベースを固定することでハウジング５１に取り付けられる。
【００８９】
これにより揚送駆動モータ４２０の回転駆動力が駆動ギヤ，伝達ギヤ，従動ギヤからなる駆動力伝達構造４３０を介して揚送スクリュー４１０に伝達され、揚送駆動モータ４２０を回転作動させることで、駆動力伝達機構４３０の減速比に応じた回転速度で揚送スクリュー４１０を同一方向に回転させることができる。駆動力伝達機構４３０の減速比は揚送駆動モータ４２０の定格回転速度と揚送スクリュー４１０により揚送しようとする遊技球の搬送速度とを基本に設定することができ、例えば、駆動ギヤと従動ギヤの歯数を同一にすることで、揚送駆動モータ４２０のスピンドル１回転に対して揚送スクリュー４１０が１回転する減速比に設定することができる。なお駆動力伝達機構として、ベルトとプーリ、チエーンとスプロケット等を利用することも可能である。
【００９０】
揚送駆動モータ４２０の作動は役物制御手段７１０における揚送装置駆動制御手段７１６によって制御され、揚送装置駆動制御手段７１６は所定入賞条件のもと揚送駆動モータ４２０に駆動信号を出力してスピンドルを平面視における反時計廻りに回転させ、揚送スクリュー４１０を同一方向に回転させる。これにより、第１条件流路３５１から揚送部に導入された遊技球が、回転する球送りプレート４１２の螺旋傾斜面に持ち上げられ入賞口２１２よりも上方に搬送される。なお、揚送駆動モータ４２０を常時回転させる形態としても良い。
【００９１】
ここで、ガイドカバー４０１の前後方向の樋深さは、遊技球の直径よりも幾分大きい程度に設定されている。このため、第１条件流路３５１から揚送部に導入された遊技球がガイドカバーの前方内面に当接支持されて球送りプレート４１２の螺旋傾斜面を転動流下するようなことがなく、揚送スクリュー４１０の回転とともに鉛直上方に揚送される。ガイドカバー４０１は、透明な樹脂材料や半透明の樹脂材料を用いて成型されており、揚送スクリュー４１０により揚送される遊技球をパチンコ機の前面側から視認可能になっている。
【００９２】
揚送部の上端近傍では、揚送部の後方に位置する化粧板２が切り欠かれて後方に開く上端開口４５０が形成され、その後方に上端開口から排出された遊技球を回転入賞機構５００に導く案内流路５０５が設けられる。揚送部の上端近傍では、揚送部の上壁面を構成するガイドカバーの下向き面が、後方に向けて斜めに開いて形成されており、揚送部の上端まで揚送された遊技球が、この傾斜面に当接して後方に押し出され、後方に下傾して形成された上端開口４５０から案内流路５０５に排出されるようになっている。
【００９３】
従って、揚送機構４００を設けることで入賞口２１２に落入した遊技球を入賞口２１２よりも上方に設けた回転入賞機構５００に導くことができ、遊技盤１の限られた盤面サイズを有効に活用したレイアウト設定が可能になっている。なお、揚送スクリュー４１０は、回転軸の外周面に遊技球の球径に合わせた半円形の溝を螺旋状に一体的に形成して構成してもよい。また揚送スクリュー４１０に代えて、高分子材料製ないし金属製の無端ベルトの外周面に遊技球を持ち上げ支持可能なタブ状の支持片を所定間隔で複数形成した揚送ベルトを用いて、揚送部の上下に設けられたプーリ間に掛け渡して回転させ、あるいは同様の支持片を有するチェーンを上下のスプロケット間に掛け渡して回転させ、または遊技球を吸着して移送するマグネットを利用して遊技球を上方に搬送するような機構構成としても良い。
【００９４】
Ｄ：回転入賞機構５００は、揚送機構４００により上方に搬送され上端開口４５０から排出された遊技球を導入する案内流路５０５、入賞具２１０の後方に位置して設けられ皿面上を遊技球が転動可能なテーパーコーン状の転動皿５１０、この転動皿５１０の中心部に回転可能に設けられた第２回転体５２０、第２回転体５２０を回転駆動する第２回転体駆動モータ５３０、および回転入賞機構５００における入賞状態に応じて遊技機の作動を制御する遊技制御装置７００などから構成される。
【００９５】
案内流路５０５は、上端開口４５０と転動皿５１０との間を結んで化粧板２の裏面側に設けられている。案内流路５０５は、上端開口４５０から転動皿５１０に向けて下傾する傾斜樋状に形成されるとともに、平面視において円環状をなす転動皿５１０の円環に接するように形成されており、案内流路４５０を流下した遊技球が転動皿５１０の外周に沿って転動するようになっている。
【００９６】
一方、転動皿５１０の中心部に設けられ、第２回転体駆動モータ５３０により回転駆動される第２回転体５２０には、平面視においてＵ字状に開口する球受容孔５２５が４箇所形成されており、転動皿５１０の外周に沿って転動した遊技球が第２回転体５２０の回転角度位置との関係で、これら４箇所の球受容孔５２５の何れかに転入する。４箇所の球受容孔は、入賞領域を形成し、このうち１箇所が特別領域、他の３箇所が非特別領域とされる。第２回転体駆動モータ５３０の作動は遊技制御装置７００における第２回転体駆動制御手段７３０によって制御される。
【００９７】
第２回転体５２０の下側には、特別領域および非特別領域に転入した遊技球を遊技済み球排出通路に導く遊技球排出通路が形成されるとともに、特別領域に転入した遊技球を検出する特別領域通過検出器５２１、および遊技領域排出通路を通って回転入賞機構５００から排出される遊技球を検出する遊技球排出検出器５２２が設けられている。特別領域通過検出器５２１の信号は遊技制御装置７００の特別遊技判定実行手段７４０に入力され、遊技球排出検出器５２２の信号は遊技球排出監視手段７１７に入力されている。
【００９８】
特別遊技判定実行手段７４０には、特別領域通過判定手段７４１ａを有する特別遊技移行判定手段７４１と、大入賞口開閉駆動制御手段７４２ａを有する特別遊技実行手段７４２とが設けられており、上記信号から特別領域通過判定手段７４１ａにより特別領域の通過判定がなされ、特別遊技移行判定手段７４１において特別遊技への移行判定がなされたときに、特別遊技実行手段７４２で特別遊技の実行プログラムが起動され、前述した開閉入賞機構６０による特別遊技が実行される。
【００９９】
開閉入賞機構６０の大入賞口開閉駆動ソレノイド６３１は、特別遊技実行手段の大入賞口開閉駆動制御手段７４２ａによって作動が制御され、特別遊技実行手段７４２で起動した特別遊技の実行プログラムにおいて開閉扉６２０を開放する開放処理ステップになったときに、大入賞口開閉駆動制御手段７４２ａから大入賞口開閉駆動ソレノイド６３１に開放指令信号（具体的には、大入賞口開閉駆動ソレノイド６３１をONする駆動信号）が出力される。
【０１００】
すると、大入賞口開閉駆動ソレノイド６３１のプランジャが吸引されて駆動伝達具６３４が上動し、リンクピン６３６を介して連結されたリンクアーム６３５が正面視反時計廻りに回動され、リンクアーム６３５と揺動軸６２５で連結された開閉扉６２０が略６０度反時計廻りに傾倒されて、大入賞口６１２が開放される（図７を参照）。ここで、開閉扉６２０は上部がくの字上に屈曲して形成されるとともに、開放姿勢において開閉扉のリブ６２７がユニットベースの支持部６１７に当接して支持される。このため、上方から多数の遊技球が落下してきても、これらの遊技球を確実に受け止めて大入賞口６１２の内方に誘導することができる。
【０１０１】
大入賞口６１２に入球した遊技球は、開閉入賞機構ユニット６００の導出通路６１３を通って導出口６１４に導かれ、導出口６１４から装飾枠側の連絡流路１６４、球寄せカバー１９に形成された排出流路１９ａ、および裏セット盤に形成された遊技済み球排出通路を転動流下して遊技施設側の回収装置に排出される。導出通路６１３に設けられた大入賞口入賞検出器６５０の信号は遊技制御装置７００に入力されており、遊技制御装置７００は入力される信号から大入賞口６１２に落入した遊技球の数量をカウントして、所定数量に達したときにいる。大入賞口開閉駆動ソレノイド６３１に出力していた開放指令信号（駆動信号）をOFFにする。
【０１０２】
すると、大入賞口開閉駆動ソレノイド６３１のプランジャがリターンスプリングのバネ力により押し出されて駆動伝達具６３４が下動し、リンクピン６３６を介して連結されたリンクアーム６３５が正面視時計廻りに回動され、揺動軸６２５で連結された開閉扉６２０が時計廻りに傾倒されて、大入賞口６１２が閉止される。
【０１０３】
従って、揚送機構４００により搬送された遊技球を回転入賞機構５００に導く構成により、振り分け機構３００で振り分けられた遊技球をさらに振り分けて新たなゲームを展開する複雑な遊技構成にすることができ、遊技者を飽きさせない趣向に富んだ遊技機を提供することができる。なお遊技制御装置７００には、図柄変動記憶手段７２１および停止図柄決定手段７２２を有する図柄制御手段７２０が設けられており、後述する所定条件のもと図柄表示装置１２の作動が制御される。
【０１０４】
さて、以上のように構成される複合入賞装置２０の作用について、図柄表示装置１２の作動制御を含めて、図１７を併せて参照しながら説明する。なお図１７は複合入賞装置２０の各部の作動タイミングを例示するタイミングチャートである。
【０１０５】
図１に示した遊技盤１がパチンコ機に装着され、ガラス扉が閉鎖された遊技状態で遊技球発射装置から遊技領域ＰＡに遊技球が発射されると、遊技球は多数本の遊技釘や風車等に弾かれながら下方に落下する。特別遊技が実行されていない通常の遊技状態にあっては中央飾り１０に設けられた開閉入賞機構の開閉扉６２０が閉止状態にあり、中央飾り上部の上部一般入賞口１３またはワープ入球口１４に落入しなかった遊技球は、前方に張り出された装飾枠１００の枠部側方を通って遊技領域ＰＡを落下する。
【０１０６】
そして順次落下する多数の遊技球のうち、一部の遊技球は下部一般入賞口３に落入して化粧板２の背面側に導かれ、また一部の遊技球はゲート５を通って遊技領域の下端に落下するほか、殆どの遊技球は遊技領域ＰＡの下端まで落下してアウト口８から化粧板２の背面に導かれ、一般入賞口３，１３に落入した遊技球とともに遊技済み球排出通路を介して遊技島の回収装置に回収される。
【０１０７】
遊技制御装置７００は、遊技球が上部一般入賞口１３や下部一般入賞口３に落入して各入賞具に設けられた入賞検出器から入賞検出信号が入力されたときに、球払出装置に払出指令信号を出力して払い出し作動させ、褒賞としての遊技球を機体前方の球皿に払い出させる。
【０１０８】
また、ワープ入球口１４に落入した遊技球は、装飾枠１００に形成された上部案内通路１２１および側部案内通路１２２を通ってワープ出口１２４に導かれ、まず上段ステージ１４２を左右に転動する。そして、多くの遊技球は前傾する左右何れかの凹部から下段ステージ１４１に落下して下段ステージ１４１を左右に転動し、中央の誘導部１４１ｇから中央飾り１０の下部領域に流下する。ここで下段ステージの誘導部１４１ｇは遊技球２球程度の幅を有して形成されているため、誘導部１４１ｇから落下する遊技球の落下経路は一定ではない。このため、入賞口２１２が拡大されていない状態では、多くの遊技球がチューリップ羽根上方のガイド筒に弾かれて入賞具の左右を落下し、誘導部１４１ｇの中心に収斂して鉛直落下する一部の遊技球のみがガイド筒を通って入賞口２１２に落入する。
【０１０９】
一方、上段ステージ１４２を左右転動するうちに上段ステージの誘導溝１４２ｇに係合した遊技球は、前方開くＶ字状の係合誘導溝により溝に沿って前方に誘導され、付勢誘導溝に落ち込むことで付勢されて特別流下通路１４５ｇを転動し、特別流下通路１４５ｇの前端部から中央飾り１０の下方に落下する。前述したように入賞具２１０は特別流下通路１４５ｇと位置整合して直下に配設されるとともに、チューリップ羽根の上方に設けられたガイド筒は特別流下通路１４５ｇから鉛直に落下してくる遊技球をガイドするように構成されている。このため、特別流下通路１４５ｇを通って前端部から落下する遊技球の多くは入賞口２１２に落入する。
【０１１０】
他方、中央飾り側方の遊技領域を落下した遊技球や下段ステージの誘導部から入賞具２１０の側方に転落した遊技球がゲート５を通過し、ゲート５に内蔵されたゲート通過検出器５ｓから遊技制御装置７００にゲート通過検出信号が入力されると、遊技制御装置７００はゲート通過検出信号に基づく制御フローを呼び出し、複合入賞装置２０における入賞具２１０の作動を制御する。例えば役物制御手段７１０の入球部拡大装置駆動制御手段７１１から入賞具２１０の入球部拡大装置駆動ソレノイド２１３に駆動信号を出力させ、左右のチューリップ羽根を0.5秒〜１秒程度の所定時間開放させて入賞口２１２を拡大させる。入賞口２１２が拡大されると遊技球が入賞しやすくなり、入賞具２１０の周囲を落下する遊技球が左右のチューリップ羽根２１１，２１１に受け止められて連続的に入賞口２１２に落入する。
【０１１１】
そして、これらのようにして入賞口２１２に落入した遊技球は、役物入球検出器２１４により通過が検出されたのち導入通路２１５を流下し、図１０に示すように常には閉止状態にあるシャッタ２４２の上面を転動して球貯留通路２２０に流入する。
【０１１２】
役物入球検出器２１４の信号は入球判定手段７１２に入力されており、入球判定手段７１２は入力される信号から遊技球が入球したか否かを判定する。そして遊技制御装置７００では、入球判定手段７１２における判定が入球判定である場合には、貯留通路に貯留された遊技球の数量を一時記憶する貯留球メモリのメモリ値を参照し、この値が所定の最大貯留球数（例えば５個）未満であるときに、メモリ値を加算（カウントアップ）して貯留球メモリに一時記憶する。
【０１１３】
また遊技制御装置７００は、貯留球メモリのメモリ値が１以上であるときに、所定条件のもと図柄制御手段７２０に図柄変動制御の開始指令信号を出力して図柄の変動を開始させる。図柄制御手段７２０では、停止図柄決定手段７２２により停止図柄の組み合わせが抽選されて決定され、図柄変動記憶手段７２１が決定された停止図柄に基づいて停止図柄に至る図柄の変動パターンを呼び出して、図柄表示装置１２の表示作動を制御する。
【０１１４】
例えば、入賞口２１２に５個の遊技球が落入すると、図１７における(ａ)に示すように、役物入球検出器２１４から５つのパルス状の入球検出信号が出力され、これを受けた役物入球判定手段７１２でそれぞれの入球判定が行われるとともに、貯留球メモリのメモリ値が入球判定ごとに１ずつ加算されて１，２…５まで増加する。そして図柄制御手段７２０により図柄の変動制御が開始されたときに、貯留球メモリのメモリ値が１つ減算され、残る図柄変動回数４が記憶され、その回数が例えば遊技盤に設けられた記憶表示LED（各種遊技効果ランプ）６に表示される。これにより遊技者は透明なカバー部材５２を通して貯留通路２２０に整列待機された遊技球をパチンコ機前面側から直接視認できるとともに、残る図柄変動回数を記憶表示LEDにより確認することができる。
【０１１５】
また上記のように５個の遊技球が貯留通路２２０に流入すると、流入した遊技球は第１個目の遊技球が導入口３４０から最初に基準位置にある球受け部（以下、説明の便宜上「第１球受け部」という）３２２に受容され、第２〜第５個目の遊技球が貯留通路２２０に位置して停留され、入賞口２１２に落入した遊技球が流入した順に整列状態で貯留待機される。
【０１１６】
このとき、第５個目の遊技球は貯留通路入り口の貯留部満杯検出器２５１の検出孔内に位置して停留される。このため貯留部満杯検出器２５１の検出信号は、図１７(ｃ)に示すように第５個目の遊技球の検出信号が連続した検出状態となり、これを受けた貯留部満杯判定手段７１３は、入力された検出信号が所定時間以上連続した遊技球検出信号であることから貯留通路２２０が満杯状態であると判定する。役物制御手段７１０は、貯留部満杯判定手段７１３により貯留通路２２０が満杯状態であると判定されたときに、シャッター駆動制御手段７１４からシャッター駆動ソレノイド２４３に駆動信号を出力し図１１および図１７(ｄ)に示すようにシャッター２４２を開放状態に切り替えさせる。
【０１１７】
このため、貯留通路２２０が満杯状態になると、満杯状態が解除されるまで貯留機構２００のシャッター２４２が排出通路２３０の上部を開く開放状態になり、導入通路２１５を通って導かれた遊技球が排出通路２３０に転落して、遊技済み球排出通路を介して遊技島の回収装置に排出される。
【０１１８】
このように、貯留機構２００では、貯留通路２２０が遊技球で充満される以前の非充満状態において、入賞口２１２に落入した遊技球が確実に貯留通路２２０に導かれて入賞した順に整列状態で貯留されるとともに、貯留通路２２０が充満状態になって以降は、充満状態が解除されるまで排出通路２３０に導かれて排出される。このため、入賞口２１２最大貯留球数を超える数量の遊技球が落入しても、貯留通路２２０に既に整列貯留された遊技球に何ら影響を与えることがなく、また貯留通路２２０に貯留された第１〜第５の各遊技球に対応したゲームを次段の振り分け機構３００で的確に実行することができる。
【０１１９】
一方、図柄制御手段７２０において図柄変動が停止し、図柄表示装置１２に停止図柄の組み合わせが表示されると、役物制御手段７１０は、条件達成判定手段７１８によって判定された入賞条件に基づいた駆動信号を第１回転体駆動制御手段７１５から第１回転駆動モータ３３０に出力させ、振り分け機構３００の第１回転体３２０を時計廻りまたは反時計廻りに回動させる。例えば、条件達成判定手段７１８によって判定された入賞条件が第２条件（はずれ）である場合には、図１７(ｅ)に示すように第１回転駆動モータ３３０を反時計廻りに約９０度回動させる駆動信号を出力して第１回転体３２０を左回転させ、図１０および図１２に示すように遊技球が受容された第１球受け部３２２を第２導出口３６０に整合させた角度位置、すなわち第２導出位置に一時停止させる。
【０１２０】
前述したように、球受け部３２２，３２２は、Ｕ字溝を形成する左右の溝壁面が底面中央を境に前後逆方向に開く傾斜面で形成されており、Ｕ字溝が上方に開く角度姿勢において左壁面が前方に開く傾斜面、右壁面が後方に開く傾斜面で構成されている。このため第１球受け部３２２に受容されて第２導出位置に配設された遊技球は、Ｕ字溝の右壁面の傾斜に従って後方に誘導され、第２導出口３６０から第２条件流路３６１に排出され、第２条件流路通過検出器３６２により通過が検出されたうえ遊技済み排出通路を介して遊技島の回収装置に排出される。
【０１２１】
そして第２条件流路通過検出器３６２により遊技球が検出され、この信号を監視する遊技球排出監視手段７１７において遊技球の排出が確認されたとき、すなわち第２導出口３６０への振り分け作動によって導出された遊技球の排出処理が確認されたのち、第１回転駆動モータ３３０を再び反時計廻りに約９０度回動させる駆動信号を出力し、第２導出位置で一時停止していた第１回転体３２０を基準位置近傍まで回動させ、第１回転体モータセンサ３３５から入力される検出信号により第１回転体３２０が基準位置に到達したと判定されたときに第１回転駆動モータ３３０の回動を停止させる。
【０１２２】
これにより貯留通路２２０に貯留された第１球目の遊技球の振り分け処理が完了するとともに、基準位置に配設された第１回転体３２０の下側の球受け部（以下、「第２球受け部」という）３２２が導入口３４０と位置整合して配設され、第２球目の遊技球が第２球受け部３２２に受容されて、次の振り分け作動に向けて待機保持される。
【０１２３】
球貯留通路２２０では、第２球目の遊技球が第２球受け部３２２に導入されることで、通路内に貯留された遊技球がそれぞれ１個分づつ導入口側に移動し、貯留部満杯検出器２５１の信号が連続した検出状態から非検出状態に変位する。このため貯留部満杯判定手段７１３による判定が充満状態から非充満状態に変化し、シャッター駆動制御手段７１４からシャッター駆動ソレノイド２４３に出力されていた駆動信号がOFFになって、シャッター駆動ソレノイド２４３のリターンスプリングのバネ力によりシャッター２４２が閉止状態に復帰される。
【０１２４】
また第１球目の振り分け処理の完了とともに、図柄制御手段７２０により第２球目の遊技球に対する図柄の抽選および変動制御が開始され、貯留球メモリのメモリ値が４→３に減算されて記憶される一方、図１７(ａ)(ｂ)に示すように図柄の変動中に入賞口２１２に新たに遊技球が落入すると、貯留球メモリのメモリ値が３→４に加算されて記憶される。またこれにより貯留通路２２０が再び満杯状態となり、貯留部満杯判定手段７１３による満杯判定に基づいてシャッター２４２が開放される（図１７(ｃ)および(ｄ)）。
【０１２５】
図柄制御手段７２０において図柄変動が停止し、図柄表示装置１２に図柄の組み合わせが表示されると、役物制御手段７１０は、条件達成判定手段７１８によって判定された入賞条件に基づいた駆動信号を第１回転体駆動制御手段７１５から第１回転駆動モータ３３０に出力させて、第１回転体３２０を時計廻りまたは反時計廻りに回動させる。図１７ではこの第２球目の遊技球に対して条件達成判定手段７１８で判定された入賞条件が第１条件（当たり）である場合を示しており、第１回転体駆動制御手段７１５は第１回転駆動モータ３３０を時計廻りに約１５０度回動させる駆動信号を出力して図１７(ｅ)に示すように第１回転体３２０を右回転させ、図１１に示すように遊技球が受容された第２球受け部３２２を第１導出口３５０に整合させた角度位置、すなわち第１導出位置に一時停止させる。
【０１２６】
この角度位置では、第２球受け部３２２に受容された遊技球はＵ字溝を形成する左右の溝壁面における左側の壁面に支持されており、第１導出口３５０と整合して前方が開放された遊技球がＵ字溝の左壁面の傾斜に従って前方に誘導され、第１導出口３５０から第１条件流路３５１に排出され、第１条件流路３５１を転動流下して次段の揚送機構４００に導かれる。
【０１２７】
また条件達成判定手段７１８で判定された入賞条件が第１条件である場合には、遊技制御装置７００は、役物制御手段７１０の揚送装置駆動制御手段７１６および第２回転体駆動制御手段７３０に指令信号を出力し、それぞれ揚送装置駆動モータ４２０および第２回転体駆動モータ５３０の駆動信号を出力させて、揚送機構４００の揚送スクリュー４１０および回転入賞機構５００の第２回転体５２０を回転駆動させる（図１７(ｇ)および(h)）。
【０１２８】
これにより、第１条件流路３５１を転動流下して揚送機構４００に導かれ、第１条件流路３５１から揚送部に導入された遊技球は、揚送装置駆動モータ４２０により回転駆動される揚送スクリュー４１０の螺旋状の球送りプレート４１２に持ち上げられ、ガイドカバーに案内されながら鉛直上方に揚送される。揚送部の上端部まで揚送された遊技球は、ガイドカバーの下向き面に形成された傾斜面に当接して後方に押し出され、上端開口４５０から案内流路５０５に排出される。そして転動皿５１０に向けて下傾する案内流路５０５を転動流下し、回転入賞機構５００に導かれる。
【０１２９】
回転入賞機構５００に導入された遊技球は、テーパーコーン状の転動皿５１０に受け止められて第２回転体５２０の周囲を転動し、第２回転体駆動モータ５３０により回転駆動されている第２回転体５２０の４箇所の球受容孔５２５の何れか、すなわち１箇所の特別領域または３箇所の非特別領域のうち何れかに転入する。そして特別領域に転入した遊技球は特別領域通過検出器５２１および遊技球排出検出器５２２に検出され、非特別領域に転入した遊技球は遊技球排出検出器５２２にのみ検出された後、遊技済み球排出通路を介して遊技島の回収装置に排出される。特別領域通過検出器５２１および遊技球排出検出器５２２の信号は遊技制御装置７００に入力されている。
【０１３０】
図１７では回転入賞機構５００に導入された遊技球が特別領域に転入した例を示しており、図１７(ｉ)(ｊ)に示すように、特別領域に転入した遊技球が特別領域通過検出器５２１および遊技球排出検出器５２２に検出され、遊技済み球排出通路を介して遊技島の回収装置に排出される。遊技制御装置７００における特別遊技判定実行手段７４０では、特別領域通過検出器５２１の検出信号から特別領域通過判定手段７４１ａにおいて特別領域の通過判定がなされ、この通過判定および遊技機の作動状況に基づいて特別遊技移行判定手段７４１で特別遊技への移行判定がなされる。特別遊技実行手段７４２では特別遊技への移行判定を受けて特別遊技の実行プログラムが起動され、開閉入賞機構６００による特別遊技が実行される（図１７(ｋ)）。
【０１３１】
具体的には、特別遊技実行手段７４２における大入賞口開閉駆動制御手段７４２ａから大入賞口開閉駆動ソレノイド６３１に開放指令信号が出力され、開閉扉６２０のが所定期間（例えば30秒程度の所定時間、あるいは遊技球が10個入賞するまでの期間）左方に略６０度傾倒されて大入賞口６１２が開放される。大入賞口６１２に落入した遊技球は大入賞口入賞検出器６５０に検出され、開閉入賞機構ユニット６００の導出通路６１３を通って導出口６１４に導かれ、導出口６１４から装飾枠側の連絡流路１６４、球寄せカバー１９に形成された排出流路１９ａ、および裏セット盤に形成された遊技済み球排出通路を転動流下して遊技施設側の回収装置に排出される。大入賞口入賞検出器６５０から入賞検出信号を受けた遊技制御装置７００は、入賞球数に応じた指令信号を球払出装置に出力して褒賞としての遊技球を球皿に払い出させる。
【０１３２】
また遊技制御装置７００は、遊技球排出検出器５２２からの信号を監視する遊技球排出監視手段７１７において遊技球の排出が確認されたとき、すなわち第１導出口３５０への振り分け作動によって導出された遊技球の排出処理が確認されたのち、第１回転駆動モータ３３０を再び時計廻りに約３０度回動させる駆動信号を出力し、第１導出位置で一時停止していた第１回転体３２０を基準位置近傍まで回動させ、第１回転体モータセンサ３３５から入力される検出信号により第１回転体３２０が基準位置に到達したと判定されたときに第１回転駆動モータ３３０の回動を停止させる。
【０１３３】
これにより貯留通路２２０に貯留された第２球目の遊技球の振り分け処理が完了するとともに、基準位置に配設された第１回転体３２０の第１球受け部３２２が導入口３４０と位置整合して配設され、第３球目の遊技球が第１球受け部３２２に受容されて、次の振り分け作動に向けて待機保持される。
【０１３４】
ここで、振り分け機構３００では、球受け部３２２が第１回転体３２０の回転軸を中心として全周を２等分した角度ピッチθ＝１８０度で２箇所形成され、導入口３４０に対する第１導出口３５０の角度位置θ1＝１５０度、および導入口３４０に対する第２導出口３６０の角度位置θ2＝９０度が、いずれも球受け部３２２，３２２の形成角度ピッチθよりも小さく形成されている。このため、基準位置にある第１球受け部に受容した遊技球を第１導出口３５０（または第２導出口３６０）に向けて移動させている間に軸対称位置にある第２球受け部が導入口３４０に接近し、第１球受け部の遊技球を第１導出口３５０（第２導出口３６０）に排出したのち第１回転体３２０をわずか３０度程度（９０度程度）回動させることで、第２球受け部が導入口３４０に配設される。すなわち、振り分け機構３００では第１球受け部を元の角度位置まで戻す必要がなく、第１球受け部の回動による振り分け作動とともに第２球受け部が導入口３４０に移動して基準位置に配設される。このため、従来振り分け時間と同程度の時間、あるいは振り分け作動以上の時間を要していた復帰作動の時間を大幅に削減することができ、基準位置への復帰を待って行われる次の遊技を、わずかなインターバルで開始することができる。
【０１３５】
また、球受け部が第１回転体３２０の全周を２等分した角度ピッチで形成されていることから、第１回転体３２０の回動方向が時計廻りまたは反時計廻りに連続する場合、あるいは時計廻り・反時計廻りに反転を繰り返す場合のいずれであっても、第１回転体３２０の回動開始〜第２球受け部が基準位置に配設されるまでの作動時間を、第１回転体３２０が１／２回転する一定時間にすることができる（図１７(ｅ)を参照）。
【０１３６】
従って、以上説明した複合入賞装置２０によれば、個々の入賞球に固有の意義を持たせて１：１対応のゲーム展開を実現できることに加えて、振り分け機構に導かれた遊技球を連続して振り分け案内する遊技形態であっても振り分け処理を迅速且つ均等に行うことができ、ゲーム展開の抑揚を明確化するとともに稼働の低下を防止した入賞装置を提供することができる。さらに、限られた遊技盤面を有効に活用した自由なレイアウト設計のもとで趣向に富んだ斬新なゲーム構成の遊技機を提供することができる。
【図面の簡単な説明】
【０１３７】
【図１】パチンコ機の遊技盤に各種遊技部品を装着して複合入賞装置を構成した状態の遊技盤の正面図である。
【図２】上記遊技盤の背面図である。
【図３】中央飾りおよび複合入賞装置の構成を説明するために分解状態で左斜め前方から見た斜視図である。
【図４】中央飾りおよび複合入賞装置の構成を説明するために分解状態で左斜め後方から見た斜視図である。
【図５】中央飾りから開閉入賞機構ユニットを取り外した状態で、開閉入賞機構ユニットを主としてを示す正面図である。
【図６】中央飾りから開閉入賞機構ユニットを取り外した状態で、開閉入賞機構ユニットを主として示す背面図である。
【図７】開閉入賞機構の動作変位を示す正面図（部分断面図）である。
【図８】図７中のVIII−VIII矢視の平断面図である。
【図９】左枠部およびステージの球流れ状態を主として示す側断面図である。
【図１０】貯留通路が充満される以前の様子を主として示す複合入賞装置の前方機構部の正面図である。
【図１１】貯留通路が充満されて以降の様子を主として示す複合入賞装置の前方機構部の正面図である。
【図１２】複合入賞装置における前方機構部の背面図である。
【図１３】複合入賞装置における前方機構部の平面図である。
【図１４】複合入賞装置における後方機構部の平面図である。
【図１５】化粧板の背面側の球流れを主として示す上記後方機構部の正面図（図１４中のXV−XV矢視の正面図）である。
【図１６】複合入賞装置の制御形態を概要的に示すブロック図である。
【図１７】複合入賞装置の各部の作動タイミングを例示するタイミングチャートである。
【符号の説明】
【０１３８】
ＰＡ  遊技領域
１  遊技盤
２  化粧板
３  下部一般入賞口
５  ゲート（５ｓ  ゲート通過検出器）
６  記憶表示LED
８  アウト口
１０  中央飾り
１１  窓口
１２  図柄表示装置
１３  上部一般入賞口（１３ｓ  入賞検出器）
１４  ワープ入球口
１９  球寄せカバー（１９ａ  排出流路、１９ｂ  排出通路）
２０  複合入賞装置
５１  ハウジング
５２  カバー部材
５５  リアフレーム
６０  開閉入賞機構
１００  装飾枠
１０１  ベース枠
１０２  中間枠
１０３  後方枠
１１１  上枠部
１１２  左枠部
１１３  右枠部
１１４  下枠部
１１５  庇部
１１６  中央障壁部
１２０  ワープ案内通路
１２１  上部案内通路
１２２  側部案内通路
１２４  ワープ出口
１３０  入賞球排出通路
１３１  上部排出通路
１３２  側部排出通路
１３３  屈曲部
１４０  ステージ
１４１  下段ステージ（１４１ｇ  誘導部、１４１ｗ  転落防止壁）
１４２  上段ステージ（１４２ｇ  誘導溝）
１４３  高段差領域
１４５  ガイド突片（１４５ｇ  特別流下通路）
１６０  ユニット装着部（１６０ａ  ベース支持部、１６０ｂ  駆動構造収容部）
１６２  収容壁
１６３  後方壁
１６４  連絡流路
１６８  ネジボス
２００  貯留機構
２０１  シャッターベース
２０２  ガイドレール
２０３  ソレノイド装着部
２０５  支ピン
２１０  入賞具
２１１  チューリップ羽根
２１２  入賞口
２１３  入球部拡大装置駆動ソレノイド
２１４  役物入球検出器
２１５  導入通路
２２０  貯留通路
２３０  排出通路
２４０  流路切り替え構造
２４２  シャッター（２４２ｐ  連結ピン）
２４３  シャッター駆動ソレノイド
２４４  スライドアングル（２４４ａ，２４４ｂ  駆動伝達突起）
２４５  スウィングアーム
２５０  充満検出手段
２５１  貯留部満杯検出器
３００  振り分け機構
３１０  回転盤収容部
３１１  回転盤ベース
３１２  回転体ケース
３２０  第１回転体
３２２  球受け部
３３０  第１回転体駆動モータ
３３５  第１回転体モータセンサ
３４０  導入口
３５０  第１導出口
３５１  第１条件流路
３６０  第２導出口
３６１  第２条件流路
３６２  第２条件流路通過検出器
４００  揚送機構
４０１  ガイドカバー
４０２  モータベース
４１０  揚送スクリュー
４１１  回転軸
４１２  球送りプレート
４２０  揚送装置駆動モータ
４３０  駆動力伝達構造
４５０  上端開口
４６１  後方案内流路部
４６２  中央案内流路部
５００  回転入賞機構
５０５  案内流路
５１０  転動皿
５２０  第２回転体
５２１  特別領域通過検出器
５２２  遊技球排出検出器
５２５  球受容孔
５３０  第２回転体駆動モータ
６００  開閉入賞機構ユニット
６１０  ユニットベース
６１１  ベース面
６１２  大入賞口
６１３  導出通路
６１４  導出口
６１５  軸受部
６１６  ガイド溝
６１７  支持部
６１８  ネジ挿通孔
６２０  開閉扉
６２４  軸装着部
６２５  揺動軸
６２７  リブ
６３０  開閉駆動構造
６３１  大入賞口開閉駆動ソレノイド
６３４  駆動伝達具
６３５  リンクアーム
６３６  リンクピン
６５０  大入賞口入賞検出器
６６０  化粧蓋
６６５  軸受部
７００  遊技制御装置
７１０  役物制御手段
７１１  入球部拡大装置駆動制御手段
７１２  役物入球判定手段
７１３  貯留部満杯判定手段
７１４  シャッター駆動制御手段
７１５  第１回転体駆動制御手段
７１６  揚送装置駆動制御手段
７１７  遊技球排出監視手段
７１８  条件達成判定手段
（７１８ａ  第１条件達成判定手段、７１８ｂ  第２条件達成判定手段）
７２０  図柄制御手段
７２１  図柄変動記憶手段
７２２  停止図柄決定手段
７３０  第２回転体駆動制御手段
７４０  特別遊技判定実行手段
７４１  特別遊技移行判定手段（７４１ａ  特別領域通過判定手段）
７４２  特別遊技実行手段（７４２ａ  大入賞口開閉駆動制御手段）
【図１】
2006015079.tif 000003
【図２】
2006015079.tif 000004
【図３】
2006015079.tif 000005
【図４】
2006015079.tif 000006
【図５】
2006015079.tif 000007
【図６】
2006015079.tif 000008
【図７】
2006015079.tif 000009
【図８】
2006015079.tif 000010
【図９】
2006015079.tif 000011
【図１０】
2006015079.tif 000012
【図１１】
2006015079.tif 000013
【図１２】
2006015079.tif 000014
【図１３】
2006015079.tif 000015
【図１４】
2006015079.tif 000016
【図１５】
2006015079.tif 000017
【図１６】
2006015079.tif 000018
【図１７】
2006015079.tif 000019